【手続補正書】
【提出日】平成18年11月14日(2006.11.14)
【手続補正１】
【補正対象書類名】特許請求の範囲
【補正対象項目名】全文
【補正方法】変更
【補正の内容】
【特許請求の範囲】
【請求項１】
原稿を読み取ってイメージ情報を取得する読取手段と、
前記読取手段により得られたイメージ情報の特徴を認識する認識手段と、
前記認識手段で認識された特徴に応じて前記読取手段により得られたイメージ情報を文字コード化する文字処理手段と、
前記認識手段で認識された特徴に応じて前記読取手段により得られたイメージ情報をベクトルデータに変換するベクトル化手段と、
前記認識手段で認識された特徴に応じて前記読取手段により得られたイメージ情報を予め決められた画像形式に変換する画像変換手段と、
前記認識手段がイメージ情報の特徴を認識する際に用いるパラメータを可変設定する設定手段と、
前記設定手段で設定されたパラメータに応じて前記文字処理手段、前記ベクトル化手段、前記画像変換手段の動作を制御する制御手段とを備えることを特徴とする画像処理システム。
【請求項２】
サーバが保持する電子ファイルの中から前記読取手段により得られたイメージ情報に対応する電子ファイルを検索する検索手段をさらに備え、
前記制御手段は、前記検索手段により電子ファイルが検索できない場合、前記読取手段により得られたイメージ情報に基づき前記文字処理手段、前記ベクトル化手段、前記画像変換手段の少なくともいずれかを用いた変換を実行する
ことを特徴とする請求項１に記載の画像処理システム。
【請求項３】
前記検索手段が、前記イメージ情報から前記原稿中に付加されている該原稿に対応する電子ファイルの格納場所を示す情報を認識することによって、該電子ファイルを検索することを特徴とする請求項２に記載の画像処理システム。
【請求項４】
前記検索手段が、前記イメージ情報から前記原稿中に埋め込まれている情報に基づいて前記サーバが保持する電子ファイルの中から前記原稿に対応する電子ファイルを検索することを特徴とする請求項２に記載の画像処理システム。
【請求項５】
前記ベクトル化手段が、
前記読取手段で取得された前記イメージ情報に対してアウトライン化を行うアウトライン化手段と、
アウトライン化された前記イメージ情報に関するアウトラインデータに基づいて、該イメージ情報の直線近似、曲線近似又は図形近似を行う関数近似手段と
を備えることを特徴とする請求項１から４までのいずれか１項に記載の画像処理システム。
【請求項６】
前記文字処理手段が、
原稿中の文字を文字認識処理する文字認識手段と、
前記文字認識手段による文字認識処理結果に基づいて前記文字をフォントデータに置き換えるフォント化手段と
を備えることを特徴とする請求項１から５までのいずれか１項に記載の画像処理システム。
【請求項７】
前記制御手段が、前記イメージ情報を、前記認識手段による認識結果に応じて複数のオブジェクトに分割し、それぞれのオブジェクトを前記文字処理手段、前記ベクトル化手段、前記画像変換手段のいずれかによって変換処理することを特徴とする請求項１から６までのいずれか１項に記載の画像処理システム。
【請求項８】
前記制御手段が、前記文字処理手段、前記ベクトル化手段、前記画像変換手段の少なくともいずれかで変換が実行された後の情報を予め決められたソフトウェアアプリケーションで取り扱い可能なフォーマットに変換するフォーマット変換手段をさらに備えることを特徴とする請求項７に記載の画像処理システム。
【請求項９】
前記文字処理手段、前記ベクトル化手段、前記画像変換手段の少なくともいずれかで変換されたベクトルデータを予め決められた格納場所に格納する格納手段と、
前記ベクトルデータが格納された格納場所に関する情報を付加情報として生成する生成手段と、
前記付加情報を通知する通知手段と
をさらに備えることを特徴とする請求項１から８までのいずれか１項に記載の画像処理システム。
【請求項１０】
前記検索手段が、さらに、前記読取手段によって取得された前記原稿のイメージ情報中に予め決められた形式の情報が含まれている場合に前記電子ファイルを検索することを特徴とする請求項３に記載の画像処理システム。
【請求項１１】
原稿を読み取ってイメージ情報を取得する読取手段と、
前記読取手段により得られたイメージ情報を文字コード化する文字処理手段と、
前記読取手段により得られたイメージ情報をベクトルデータに変換するベクトル化手段と、
前記読取手段により得られたイメージ情報を予め決められた画像形式に変換する画像変換手段と、
前記文字処理手段、前記ベクトル化手段、前記画像変換手段のいずれを用いるか設定する設定手段と、
前記設定手段による設定に基づき前記読取手段により得られたイメージ情報を、前記文字処理手段、前記ベクトル化手段、前記画像変換手段の少なくともいずれかを用いて変換するよう制御する制御手段と
を備えることを特徴とする画像処理システム。
【請求項１２】
サーバが保持する電子ファイルの中から前記読取手段により得られたイメージ情報に対応する電子ファイルを検索する検索手段をさらに備え、
前記文字処理手段、前記ベクトル化手段、前記画像変換手段は、前記検索手段により検索できない場合、前記読取手段により得られたイメージ情報に基づく変換を実行する
ことを特徴とする請求項１１に記載の画像処理システム。
【請求項１３】
前記原稿に対応する電子ファイルの有無に関わらず、前記検索手段による電子ファイルの検索処理を実行させるか否かを選択する選択手段をさらに備えることを特徴とする請求項２から４まで、及び１２のいずれか１項に記載の画像処理システム。
【請求項１４】
前記設定手段が、
前記原稿を文字、写真、線画、又は表のいずれかの属性に設定する第１の設定手段と、  前記文字処理手段による変換時の文字認識処理、フォント化処理、フォント指定処理、前記ベクトル化手段による関数近似処理、又は前記画像変換手段による圧縮処理におけるパラメータを設定する第２の設定手段と
を備えることを特徴とする請求項１から１３までのいずれか１項に記載の画像処理システム。
【請求項１５】
前記制御手段が、前記第１又は第２の設定手段によって指定された内容に基づいて、前記イメージ情報の変換処理の内容を切り替えることを特徴とする請求項１４に記載の画像処理システム。
【請求項１６】
アクセス制限のある電子ファイルを保持するサーバから取得するに先立って、ユーザに対して該サーバから認証情報の入力を要求するパスワード要求手段と、
入力された認証情報が正しいかどうかを判定するパスワード判定手段と、
正しい認証情報が入力された場合、前記サーバに対する前記電子ファイルへのアクセスを許可する許可手段とをさらに備え、
前記許可手段によって前記電子ファイルへのアクセスが許可されたことを条件として該電子ファイルを取得する
ことを特徴とする請求項２から４まで、及び１２のいずれか１項に記載の画像処理システム。
【請求項１７】
原稿を読み取ってイメージ情報を取得する読取工程と、
前記読取工程により得られたイメージ情報の特徴を認識する認識工程と、
前記認識工程で認識された特徴に応じて前記読取工程により得られたイメージ情報を文字コード化する文字処理工程と、
前記認識工程で認識された特徴に応じて前記読取工程により得られたイメージ情報をベクトルデータに変換するベクトル化工程と、
前記認識工程で認識された特徴に応じて前記読取工程により得られたイメージ情報を予め決められた画像形式に変換する画像変換工程と、
前記認識工程がイメージ情報の特徴を認識する際に用いるパラメータを可変設定する設定工程と、
前記設定工程で設定されたパラメータに応じて前記文字処理工程、前記ベクトル化工程、前記画像変換工程の動作を制御する制御工程とを備えることを特徴とする画像処理方法。
【請求項１８】
原稿を読み取ってイメージ情報を取得する読取工程と、
前記読取工程により得られたイメージ情報を文字コード化する文字処理工程と、
前記読取工程により得られたイメージ情報をベクトルデータに変換するベクトル化工程と、
前記読取工程により得られたイメージ情報を予め決められた画像形式に変換する画像変換工程と、
前記変換工程で前記文字処理工程、前記ベクトル化工程、前記画像変換工程のいずれを用いるか設定する設定工程と、
前記設定工程による設定に基づき前記読取工程により得られたイメージ情報を、前記文字処理工程、前記ベクトル化工程、前記画像変換工程の少なくともいずれかを用いて変換するよう制御する制御工程と
を有することを特徴とする画像処理方法。
【請求項１９】
請求項１乃至１６のいずれか１項に記載の画像処理システムをコンピュータに実行させるための記憶媒体に格納可能なプログラム。
【手続補正２】
【補正対象書類名】明細書
【補正対象項目名】０００７
【補正方法】変更
【補正の内容】
【０００７】
上記目的を達成するため、本発明に係る画像処理システムは、
原稿を読み取ってイメージ情報を取得する読取手段と、
前記読取手段により得られたイメージ情報の特徴を認識する認識手段と、
前記認識手段で認識された特徴に応じて前記読取手段により得られたイメージ情報を文字コード化する文字処理手段と、
前記認識手段で認識された特徴に応じて前記読取手段により得られたイメージ情報をベクトルデータに変換するベクトル化手段と、
前記認識手段で認識された特徴に応じて前記読取手段により得られたイメージ情報を予め決められた画像形式に変換する画像変換手段と、
前記認識手段がイメージ情報の特徴を認識する際に用いるパラメータを可変設定する設定手段と、
前記設定手段で設定されたパラメータに応じて前記文字処理手段、前記ベクトル化手段、前記画像変換手段の動作を制御する制御手段とを備えることを特徴とする。
【手続補正３】
【補正対象書類名】明細書
【補正対象項目名】０００８
【補正方法】変更
【補正の内容】
【０００８】
上記目的を達成するため、本発明に係る他の画像処理システムは、
原稿を読み取ってイメージ情報を取得する読取手段と、
前記読取手段により得られたイメージ情報を文字コード化する文字処理手段と、
前記読取手段により得られたイメージ情報をベクトルデータに変換するベクトル化手段と、
前記読取手段により得られたイメージ情報を予め決められた画像形式に変換する画像変換手段と、
前記文字処理手段、前記ベクトル化手段、前記画像変換手段のいずれを用いるか設定する設定手段と、
前記設定手段による設定に基づき前記読取手段により得られたイメージ情報を、前記文字処理手段、前記ベクトル化手段、前記画像変換手段の少なくともいずれかを用いて変換するよう制御する制御手段と
を備えることを特徴とする。
【手続補正４】
【補正対象書類名】明細書
【補正対象項目名】０００９
【補正方法】変更
【補正の内容】
【０００９】
上記目的を達成するため、本発明に係る画像処理方法は、
原稿を読み取ってイメージ情報を取得する読取工程と、
前記読取工程により得られたイメージ情報の特徴を認識する認識工程と、
前記認識工程で認識された特徴に応じて前記読取工程により得られたイメージ情報を文字コード化する文字処理工程と、
前記認識工程で認識された特徴に応じて前記読取工程により得られたイメージ情報をベクトルデータに変換するベクトル化工程と、
前記認識工程で認識された特徴に応じて前記読取工程により得られたイメージ情報を予め決められた画像形式に変換する画像変換工程と、
前記認識工程がイメージ情報の特徴を認識する際に用いるパラメータを可変設定する設定工程と、
前記設定工程で設定されたパラメータに応じて前記文字処理工程、前記ベクトル化工程、前記画像変換工程の動作を制御する制御工程とを備えることを特徴とする。
【手続補正５】
【補正対象書類名】明細書
【補正対象項目名】００１０
【補正方法】変更
【補正の内容】
【００１０】
上記目的を達成するため、本発明に係る他の画像処理方法は、
原稿を読み取ってイメージ情報を取得する読取工程と、
前記読取工程により得られたイメージ情報を文字コード化する文字処理工程と、
前記読取工程により得られたイメージ情報をベクトルデータに変換するベクトル化工程と、
前記読取工程により得られたイメージ情報を予め決められた画像形式に変換する画像変換工程と、
前記変換工程で前記文字処理工程、前記ベクトル化工程、前記画像変換工程のいずれを用いるか設定する設定工程と、
前記設定工程による設定に基づき前記読取工程により得られたイメージ情報を、前記文字処理工程、前記ベクトル化工程、前記画像変換工程の少なくともいずれかを用いて変換するよう制御する制御工程と
を有することを特徴とする。
【手続補正６】
【補正対象書類名】明細書
【補正対象項目名】００１１
【補正方法】変更
【補正の内容】
【００１１】
本発明に係るプログラムは、上記画像処理システムの各手段をコンピュータに実現させることを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】